(57)【要約】【課題】裏面に伸縮性不織布が一体化されたシート用パッドの製造作業性を大幅に改善して、不良率、補修率を低減する。【解決手段】発泡成形型２０に伸縮性不織布１４をセットし、発泡原料３２を注入して発泡させることで、裏面に伸縮性不織布１４が一体化させたシート用パッド１０を製造するに際し、発泡成形型２０に伸縮性不織布１４の所定箇所を貫通して支持する複数の装着ピン２８を設けるとともに、伸縮性不織布１４における装着ピン２８によって貫通される部分に補強シート１６を取り付け、このようにして補強された伸縮性不織布１４を発泡成形型２０にセットする。【選択図】        図１
2004358917.tif 000002
【特許請求の範囲】
【請求項１】
発泡成形型に伸縮性不織布をセットし、該発泡成形型内に発泡原料を注入して発泡させることで、裏面に前記伸縮性不織布が一体化させたシート用パッドを製造する方法であって、
前記発泡成形型に前記伸縮性不織布の所定箇所を貫通して該伸縮性不織布を支持する複数の装着ピンを設けるとともに、前記伸縮性不織布における前記装着ピンによって貫通される部分に補強層を設け、この補強された伸縮性不織布を前記発泡成形型にセットする
ことを特徴とするシート用パッドの製造方法。
【請求項２】
前記補強層が前記伸縮性不織布に補強シートを取り付けることで設けられた請求項１記載のシート用パッドの製造方法。
【請求項３】
発泡成形型に伸縮性不織布をセットし、該発泡成形型内に発泡原料を注入して発泡させることで、裏面に前記伸縮性不織布が一体化させたシート用パッドを製造する方法であって、
前記発泡成形型に前記伸縮性不織布の所定箇所を貫通して該伸縮性不織布を支持する複数の装着ピンを設けるとともに、前記伸縮性不織布における前記装着ピンによって貫通される部分を硬化処理により補強して、この補強された伸縮性不織布を前記発泡成形型にセットする
ことを特徴とするシート用パッドの製造方法。
【発明の詳細な説明】
【０００１】
【発明の属する技術分野】
本発明は、車両用や家具用のシートに用いられるシート用パッドに関するものである。
【０００２】
【従来の技術】
従来、例えば自動車用シートのためのクッションパッドにおいては、シートフレームとの摩擦による破損や異音発生を抑制するために、パッドの裏面にフェルトや粗毛布などの裏打ち材を一体的に積層する場合が多い。かかる裏打ち材は、一般に、上型に設けた装着ピンを介して上型にセットされ、下型に発泡原料を注入して発泡させることにより、発泡体であるパッド本体の裏面に積層一体化されている。
【０００３】
このような裏打ち材として、下記特許文献１には、着座時の違和感や不快感を解消し、座り心地を改善するために、熱可塑性ポリウレタンエラストマーのスパンボンド不織布のような伸縮性不織布を用いる技術が提案されている。
【０００４】
【特許文献１】特許第３０５６６０５号公報
【０００５】
【発明が解決しようとする課題】
上記伸縮性不織布は乗り心地向上という観点からは非常に有効であるが、反面、製造時においては、該不織布単独では柔らかすぎ、また腰がないため、以下のような問題がある。
【０００６】
すなわち、（１）伸縮性不織布を上型にセットする作業者が置き場から伸縮性不織布を取る際に、重ねて複数枚同時に取ってしまい、そのままセットしてしまう。（２）伸縮性不織布を装着ピンに差し込みにくいことから、最近の製造ラインの高速化も相俟って時間的にぎりぎりで発泡成形型にセットしている。（３）そのため、十分にセットしきれずに装着ピンから外れることがある。（４）また、セット後に発泡成形型が閉まる勢いで外れてしまい、補修、不良の対象となる。
【０００７】
本発明は、このような点に鑑みてなされたものであり、裏面に伸縮性不織布が一体化されたシート用パッドの製造作業性を大幅に改善して、不良率、補修率を低減し、ひいてはコストダウンを図ることができるシート用パッドの製造方法を提供することを目的とする。
【０００８】
【課題を解決するための手段】
本発明のシート用パッドの製造方法は、発泡成形型に伸縮性不織布をセットし、該発泡成形型内に発泡原料を注入して発泡させることで、裏面に前記伸縮性不織布が一体化させたシート用パッドを製造する方法であって、前記発泡成形型に前記伸縮性不織布の所定箇所を貫通して該伸縮性不織布を支持する複数の装着ピンを設けるとともに、前記伸縮性不織布における前記装着ピンによって貫通される部分に補強層を設け又は硬化処理により補強して、この補強された伸縮性不織布を前記発泡成形型にセットすることを特徴とする。
【０００９】
上記補強層としては、例えば、伸縮性不織布に補強シートを取り付けることで設けることができる。
【００１０】
かかる本発明の製造方法では、伸縮性不織布における装着ピンの貫通予定位置に補強層を設け又は硬化処理を施すことで該貫通予定位置を補強しておき、この補強された箇所に装着ピンを差し込んで、伸縮性不織布を発泡成形型にセットする。このように、部分的に補強された伸縮性不織布を用いて発泡成形型にセットするので、取り扱いやすく作業者の負担が軽減されて装着ミスが低減し、また伸縮性不織布の外れなどに起因する不良率、補修率を大幅に低減することができる。
【００１１】
【発明の実施の形態】
以下、本発明の実施形態について図面を参照して説明する。
【００１２】
本実施形態に係るシート用パッドは、図３に示すように、自動車用シートのためのシートクッションパッド１０であり、軟質ポリウレタンフォームなどの弾力性を持つ合成樹脂発泡成形体からなるパッド本体１２と、該パッド本体１２の裏面（下面）の略全体にわたって一体成形された伸縮性不織布１４とからなる。
【００１３】
伸縮性不織布１４としては、弾性繊維からなる不織布であって、１５０％以上の破断伸びを有する伸縮性不織布が好適である。より詳細には、ポリウレタン系又はゴム系エラストマーからなる弾性繊維を素材とし、例えばスパンボンド法又はメルトブロー法により製造された不織布であって、軟質ポリウレタンフォーム程度の高伸度と高回復率を示す伸縮性不織布を選択し使用することが望ましく、破断伸びは１５０〜６００％であることが好ましく、また、目付け量は５０〜３００ｇ／ｍ２程度のものが好ましく用いられる。このような特性を持つ伸縮性不織布としては、熱可塑性ポリウレタンエラストマーのスパンボンド不織布（例えば「エスパンシオーネ」（商品名）、鐘紡株式会社製）、スチレン・水添ポリイソプレンブロックコポリマーからなるメルトブロー不織布（例えば「セプトンＭＢ」（商品名）、株式会社クラレ製）などが挙げられる。
【００１４】
シートクッションパッド１０の製造に用いる発泡成形型２０は、図１に示すように、上方に開口する下型２２と、下型２２の一辺側に配されたヒンジ部２４を介して回動可能に設けられて下型２２の上面開口を開閉する上型２６とを備えてなる。詳細には、下型２２は、パッドの表面（上面）側を成形する型であり、それに対応した凹部を有する。また、上型２６は、パッドの裏面（下面）側を成形する型であり、上記凹部を閉じることにより、すり合わせ面（ＰＬ部）の内側において、下型２２との間にパッド形状に対応する発泡空間であるキャビティを形成する。
【００１５】
上型２６には、その内面に伸縮性不織布１４をセットするため、複数の装着ピン２８が所定箇所に設けられている。装着ピン２８は、図２に示すように、上型２６の内面からキャビティ内に突出するように設けられ、先端がテーパ状に尖っており、伸縮性不織布１４の所定箇所に突き刺して貫通させることで、伸縮性不織布１４をキャビティ内の上型２６表面に着脱可能に係止する。装着ピン２８の配設位置及び個数は、伸縮性不織布１４を上型２６の内面に全体的にわたって支持することができれば特に限定されず、例としてこの実施形態では、シートクッションパッド１０の前端部と後端部においてそれぞれ左右２箇所に設けている（図１、図３、図４参照）。
【００１６】
伸縮性不織布１４には、装着ピン２８が貫通する部分に補強シート１６が取り付けられている。補強シート１６は、装着ピン２８の周りを囲める程度の大きさを有するシート材であり、伸縮性不織布１４よりも伸縮性の低いシート材であれば、例えば、粗毛布やフェルトなどの非伸縮性又は低伸縮性の布の他、紙や樹脂製シートなどを用いることもできる。好ましくは、低目付（目付け量５０〜２００ｇ／ｍ２）の粗毛布を用いることである。また、補強シート１６の伸縮性不織布１４への取り付け方法としては、縫製や接着剤を用いた方法の他、ステープラーやタグなどで固定することもできる。
【００１７】
上記発泡成形型２０を用いてシートクッションパッド１０を製造する際には、図１に示すように、上記した補強シート１６により補強した伸縮性不織布１４を、上型２６の内面にセットする。詳細には、補強シート１６が取り付けられた部分を上型２６の装着ピン２８に押し当てて、図２に示すように、該装着ピン２８を突き刺し、伸縮性不織布１４とともに補強シート１６を貫通させる。この場合に、伸縮性不織布１４単独では、柔らかく腰がないため装着しにくいが、貫通部に補強シート１６が重ね合わされているため、安定的に装着することができる。
【００１８】
次いで、図１に示すように注入装置３０から下型２２の凹部に発泡原料３２を注入し、上型２６を閉じてキャビティ内で発泡硬化させる。その後、上型２６を開いて、脱型することにより、シートクッションパッド１０が得られる。
【００１９】
図３，４に示すように、得られたシートクッションパッド１０は、裏面に伸縮性不織布１４が一体成形されたものであり、この伸縮性不織布１４は発泡原料が含浸した一体成形後にも伸びを有するため、座り心地の上で違和感や不快感がなく、ストローク感及び反発感にも優れる。ここで、補強シート１６は、装着ピン２８周りの一部に設けられているのみであるため、このような伸縮性不織布１４の特性を阻害するものではない。なお、図３，４における符合１８は、装着ピン２８の跡、即ち発泡成形時の装着ピン２８によって成型される穴を示している。
【００２０】
以上説明した本実施形態によれば、伸縮性不織布１４における装着ピン２８の貫通予定位置に補強シート１６を取り付けておいて、このようにして補強した伸縮性不織布１４を、装着ピン２８を介して上型２６にセットするので、伸縮性不織布１４の取り扱い性が改善され、作業者の負担が軽減されるので、装着ミスを低減することができる。また、装着ピン２８の貫通部が補強シート１６で補強されているため、伸縮性不織布１４のセット後における外れが防止され、不良率、補修率を大幅に低減することができる。
【００２１】
なお、上記実施形態においては、補強シート１６を伸縮性不織布１４のパッド本体１２側の面に設けて、製品状態で補強シート１６が外部に露出しないようにしているが、補強シート１６は表面側に露出するように設けることもできる。
【００２２】
また、上記実施形態においては、装着ピン２８の貫通部を補強するために、伸縮性不織布１４に補強シート１６を取り付けて補強層を形成する構成を採用したが、かかる補強層は、例えば合成樹脂を伸縮性不織布１４に塗布して該合成樹脂からなる塗膜を形成することにより設けることもできる。また、このように補強層を形成する代わりに、硬化処理により補強することもできる。硬化処理としては、例えば、スプレーなどを用いて伸縮性不織布１４の一部に合成樹脂溶液を含浸させて硬化させる手法、伸縮性不織布１４の一部を熱プレスにより融着させて硬化させる手法などが挙げられる。
【００２３】
【発明の効果】
本発明のシート用パッドの製造方法であると、伸縮性不織布における装着ピンの貫通予定位置に補強層を設け又は硬化処理を施すことで該貫通予定位置を補強しておき、このようにして補強した伸縮性不織布を用いて発泡成形型にセットするので、作業者の負担が軽減されて装着ミスが低減し、伸縮性不織布の外れなどに起因する不良率、補修率を大幅に低減することができ、ひいてはコストダウンを図ることができる。
【図面の簡単な説明】
【図１】本発明の１実施形態における発泡成形型の断面図である。
【図２】図１の要部拡大図である。
【図３】実施形態におけるシートクッションパッドの断面図である。
【図４】実施形態におけるシートクッションパッドの底面図である。
【符号の説明】
１０……シートクッションパッド
１２……パッド本体
１４……伸縮性不織布
１６……補強シート（補強層）
２０……発泡成形型
２２……下型
２６……上型
２８……装着ピン
【図１】
2004358917.tif 000003
【図２】
2004358917.tif 000004
【図３】
2004358917.tif 000005
【図４】
2004358917.tif 000006